(57)【要約】【課題】  配管を増設するために用いられる分岐継手の施工に最適な封止プラグを提供すること。【解決手段】  封止プラグ１は、給水栓用ねじ２００に接続するための上流側接続口部１０１と、給水栓を接続するための下流側接続口部１０２と、分岐側のパイプＰを接続するための分岐側接続口部１０３とを備えた分岐継手１００に用いられる。封止プラグ１は、下流側接続口部１０２に対して着脱可能な連結部１０と、下流側接続口部１０２の開口から挿抜可能であって、分岐継手１００の内部において上流側接続口部１０１を下流側接続口部１０２の側から封止して、上流側接続口部１０１から下流側接続口部１０２及び分岐側接続口部１０３への水の移動を阻止する封止部（封止対応部１１、パッキン２及びＯリング３）とを備えている。【選択図】  図１
2019138309.tif 000002
【特許請求の範囲】
【請求項１】
上流側の配管を接続するための上流側接続口部と、前記上流側接続口部の反対側において前記上流側接続口部と同一の軸線上に配置され、下流側の配管を接続するための下流側接続口部と、前記上流側接続口部と前記下流側接続口部との間において前記軸線に対して交差する方向に延出して配置され、分岐側の配管を接続するための分岐側接続口部とを備えた分岐継手に用いられ、
前記下流側接続口部に対して着脱可能な連結部と、前記下流側接続口部から挿抜可能であって、前記分岐継手の内部において前記上流側接続口部を前記下流側接続口部の側から封止して、前記上流側接続口部から前記下流側接続口部及び前記分岐側接続口部への流体の移動を阻止する封止部とを備えた封止プラグ。
【発明の詳細な説明】
【技術分野】
【０００１】
本発明は、分岐継手に用いられる封止プラグに関する。
【背景技術】
【０００２】
非特許文献１には、既設の給水配管の給水栓用ねじに取り付けて分岐側の配管を増設するために用いられる「ＷＴ２２型  分岐水栓チーズ」（以下、分岐継手とする）が開示されている。図４は、分岐継手１００の施工例を示している。分岐継手１００は、壁面Ｗに設けられた既設の給水栓用ねじ２００に螺入される上流側接続口部１０１と、既設（再使用品）又は新品の給水栓２０１が螺入される下流側接続口部１０２と、分岐側接続口部１０３とを備えている。分岐側の配管の増設は、分岐側接続口部１０３を基点として行われる（図４には分岐側の配管の一部を構成するパイプＰが示されている）。
【先行技術文献】
【非特許文献】
【０００３】
【非特許文献１】株式会社オンダ製作所「総合カタログ２０１７−２０１８」、２１１頁
【発明の概要】
【発明が解決しようとする課題】
【０００４】
既設の給水配管に対して分岐継手１００を取り付ける際には、既設の給水栓２０１を給水栓用ねじ２００から取り外す必要があり、よって元栓を閉めて当該既設の給水配管を断水しておく必要がある。既設の給水配管に対して分岐継手１００を取り付ける前、つまり既設の給水配管を断水する前に、増設する分岐側の配管を当該配管の末端から給水栓用ねじ２００の近傍まで施工しておくことができれば、断水の開始から分岐側の配管の施工完了までの時間が短くなり、当該断水の時間つまり既設の給水配管の使用が不可能となる時間は短くて済む。
【０００５】
しかし、例えば経年劣化に起因して、給水栓用ねじ２００の再使用が不可能な場合がある。この場合には、給水栓用ねじ２００付近の配管も再使用せずに、新たに別の経路で給水栓２０１用の配管を行うことがあり、よって別の位置に新たな給水栓用ねじ２００を設けることとなって、分岐継手１００の位置つまり分岐側接続口部１０３の位置が想定よりも大きくずれる。分岐側の配管の基点となる分岐側接続口部１０３の位置が想定よりも大きくずれると、当該配管の経路も大きく変更する必要がある。
【０００６】
このため、分岐側の配管を施工する際には、給水栓用ねじ２００の再使用が可能であるのか否かを見極めることが最優先である。よって、先ずは給水栓用ねじ２００から給水栓２０１を取り外すとともに、分岐継手１００を給水栓用ねじ２００に対して取り付けてみて、給水栓用ねじ２００の再使用が可能であることを確認した後、分岐側の配管の施工を開始している。
【０００７】
しかし、分岐側の配管の施工開始を後回しとすると、断水の開始から当該配管の施工完了までの時間が長くなり、既設の給水配管の断水が長時間となる。
本発明の目的は、配管を増設するために用いられる分岐継手の施工に最適な封止プラグを提供すること。
【課題を解決するための手段】
【０００８】
上記の目的を達成するために、本発明の請求項１に係る封止プラグは、上流側の配管を接続するための上流側接続口部と、前記上流側接続口部の反対側において前記上流側接続口部と同一の軸線上に配置され、下流側の配管を接続するための下流側接続口部と、前記上流側接続口部と前記下流側接続口部との間において前記軸線に対して交差する方向に延出して配置され、分岐側の配管を接続するための分岐側接続口部とを備えた分岐継手に用いられ、前記下流側接続口部に対して着脱可能な連結部と、前記下流側接続口部から挿抜可能であって、前記分岐継手の内部において前記上流側接続口部を前記下流側接続口部の側から封止して、前記上流側接続口部から前記下流側接続口部及び前記分岐側接続口部への流体の移動を阻止する封止部とを備えている。
【発明の効果】
【０００９】
上記構成の封止プラグは、分岐継手の上流側接続口部を封止するための封止部を、分岐継手の下流側接続口部から挿抜可能となっている。また、封止プラグの連結部は、分岐継手の下流側接続口部に対して着脱可能となっている。つまり、分岐継手に対する封止部の挿抜及び連結部の着脱は、上流側接続口部及び分岐側接続口部ではなく下流側接続口部を介して行われる。
【００１０】
したがって、封止プラグを分岐継手に対して着脱するにあたり、上流側接続口部及び分岐側接続口部のそれぞれにおける配管の接続機能は阻害されない。よって、分岐継手の上流側接続口部に上流側の配管を接続した状態で、封止プラグによって上流側接続口部から下流側接続口部及び分岐側接続口部への流体の移動を阻止すれば、上流側接続口部に接続された上流側の配管を機能させたまま、分岐側接続口部に対する分岐側の配管の接続作業を行うことができる。つまり、分岐側の配管の施工中において、上流側接続口部に接続された上流側の配管の機能を停止させる時間を短くできる。
【図面の簡単な説明】
【００１１】
【図１】一実施形態の封止プラグを分岐継手に取り付けた状態を示す縦断面図。
【図２】一実施形態の封止プラグを別の分岐継手に取り付けた状態を示す縦断面図。
【図３】別例の封止プラグの要部拡大断面図。
【図４】既設の給水配管に対し、分岐継手を用いて分岐側の配管を増設した状態を示す縦断面図。
【発明を実施するための形態】
【００１２】
以下、本発明を具体化した一実施形態について、図１及び図４を参照しつつ説明する。
図４に示すように、既設の給水配管の給水栓用ねじ２００は、家屋の壁面Ｗに設けられている。給水栓用ねじ２００は、壁内（図面左方側）に位置する上流側の配管（図示しない）を、壁外（図面右方側）に位置する下流側の給水栓２０１に接続するためのものである。給水栓用ねじ２００には、既設の給水配管では、給水栓２０１の雄ねじ２０１ａが直接螺入されていた。分岐継手１００は、給水栓用ねじ２００に対して取り付けられて、分岐側の配管を増設するために用いられる。換言すれば、分岐継手１００は、給水栓２０１を残すとともに、新たな水栓（図示しない）を設けるために用いられる。
【００１３】
分岐継手１００は、円筒状の上流側接続口部１０１と、上流側接続口部１０１の反対側において上流側接続口部１０１と同一の軸線Ｌ上に配置された円筒状の下流側接続口部１０２と、上流側接続口部１０１と下流側接続口部１０２との間において軸線Ｌに対して直交する方向に延出して配置された円筒状の分岐側接続口部１０３とを備えている。したがって、分岐継手１００の外観は、全体としてＴ字形状をなしている。
【００１４】
上流側接続口部１０１の外周面には、雄ねじ１０１ａが形成されている。下流側接続口部１０２の内周面には、雌ねじ１０２ａが形成されている。分岐側接続口部１０３は、内部にロック機構１０３ａを備えている。
【００１５】
分岐継手１００は、上流側接続口部１０１の雄ねじ１０１ａを介して、上流側の配管を構成する給水栓用ねじ２００に螺入されている。下流側接続口部１０２の雌ねじ１０２ａには、下流側の配管を構成する既設（再使用品）又は新品の給水栓２０１の雄ねじ２０１ａが螺入されている。分岐側接続口部１０３には、分岐側の配管を構成するパイプＰが挿入され、パイプＰはロック機構１０３ａによって抜け止めされている。
【００１６】
上流側接続口部１０１の内部には、軸線Ｌ方向に上流側流路１０１ｂが形成されている。下流側接続口部１０２の内部には、軸線Ｌ方向に下流側流路１０２ｂが形成されている。分岐側接続口部１０３の内部には、軸線Ｌと直交する方向に分岐側流路１０３ｂが形成されている。分岐継手１００の内部において、上流側流路１０１ｂと下流側流路１０２ｂとの間には、中間流路１０４が形成されている。中間流路１０４において軸線Ｌ方向の中間位置に、分岐側流路１０３ｂが連通されている。したがって、上流側流路１０１ｂ、下流側流路１０２ｂ及び分岐側流路１０３ｂは、中間流路１０４を介して相互に連通されている。
【００１７】
中間流路１０４の内径は、上流側流路１０１ｂの内径よりも大きい。したがって、上流側流路１０１ｂと中間流路１０４との間には、段差１０５が形成されている。中間流路１０４の内径は、下流側流路１０２ｂの内径よりも小さい。したがって、分岐継手１００は、下流側流路１０２ｂから中間流路１０４及び上流側流路１０１ｂへと、同順に内径が小さくなってゆく。
【００１８】
さて、「発明が解決しようとする課題」で述べたように、既設の給水配管に対して分岐継手１００を取り付ける際には、既設の給水栓２０１を給水栓用ねじ２００から取り外す必要があり、よって元栓を閉めて当該既設の給水配管を断水しておく必要がある。既設の給水配管に対して分岐継手１００を取り付ける前、つまり既設の給水配管を断水する前に、増設する分岐側の配管を当該配管の末端から給水栓用ねじ２００の近傍まで施工しておくことができれば、断水の開始から分岐側の配管の施工完了までの時間が短くなり、当該断水の時間つまり既設の給水配管の使用が不可能となる時間は短くて済む。
【００１９】
しかし、例えば経年劣化に起因して、給水栓用ねじ２００の再使用が不可能な場合がある。この場合には、給水栓用ねじ２００付近の配管も再使用せずに、新たに別の経路で給水栓２０１用の配管を行うことがあり、よって別の位置に新たな給水栓用ねじ２００を設けることとなって、分岐継手１００の位置つまり分岐側接続口部１０３の位置が想定よりも大きくずれる。分岐側の配管の基点となる分岐側接続口部１０３の位置が、想定よりも大きくずれると、当該配管の経路も大きく変更する必要がある。
【００２０】
このため、分岐側の配管を施工する際には、給水栓用ねじ２００の再使用が可能であるのか否かを見極めることが最優先である。よって、先ずは給水栓用ねじ２００から給水栓２０１を取り外すとともに、分岐継手１００を給水栓用ねじ２００に対して取り付けてみて、給水栓用ねじ２００の再使用が可能であることを確認した後、分岐側の配管の施工を開始している。
【００２１】
しかし、分岐側の配管の施工開始を後回しとすると、断水の開始から当該配管の施工完了までの時間が長くなり、既設の給水配管の断水が長時間となる。この問題を解決するために、本実施形態の封止プラグが用いられる。以下、封止プラグについて説明する。
【００２２】
図１は、既設の給水配管において、給水栓用ねじ２００から給水栓２０１（図４参照）を取り外すとともに、分岐継手１００を給水栓用ねじ２００に対して取り付けた状態を示している。この状態で、分岐継手１００には封止プラグ１が取り付けられている。なお、分岐継手１００に封止プラグ１を取り付けた後に、分岐継手１００を給水栓用ねじ２００に対して取り付ける手順でもよいし、分岐継手１００を給水栓用ねじ２００に対して取り付けた後に、分岐継手１００に封止プラグ１を取り付ける手順でもよい。
【００２３】
封止プラグ１は、黄銅などの金属製のプラグ本体９を備えている。プラグ本体９は、それぞれ中実円柱状をなす連結部１０、封止対応部１１及び軸部１２を、同一の軸線Ｌ上に備えている。プラグ本体９の一端（図面右方）に位置する連結部１０は、同じく他端（図面左方）に位置する封止対応部１１よりも外径が大きい。連結部１０と封止対応部１１とは、軸部１２を介して連結されている。軸部１２の外径は、連結部１０及び封止対応部１１の外径よりも小さい。
【００２４】
連結部１０の外周面には、雄ねじ１０ａ及び六角部１０ｂがそれぞれ形成されている。連結部１０の雄ねじ１０ａは、分岐継手１００の下流側接続口部１０２の雌ねじ１０２ａに対して、雌ねじ１０２ａの開口を介して取り外し可能に螺入されている。この螺入作業や取り外す作業の際に、下流側接続口部１０２の外に位置する六角部１０ｂが、工具掛けとして利用される。
【００２５】
封止対応部１１は、先端が分岐継手１００の上流側接続口部１０１の上流側流路１０１ｂに挿入配置されている。封止対応部１１の残りの部分は、中間流路１０４において分岐側流路１０３ｂとの連通位置よりも上流側流路１０１ｂの側に挿入配置されている。
【００２６】
封止対応部１１の外周面には、軸線Ｌを中心とした円環状をなすパッキン収容溝１１ａと、同じく円環状をなすＯリング収容溝１１ｂとが形成されている。封止対応部１１の先端側に位置するパッキン収容溝１１ａには、円環状をなすパッキン２が収容されている。Ｏリング収容溝１１ｂは、パッキン収容溝１１ａに対して軸部１２側に位置している。Ｏリング収容溝１１ｂにはＯリング３が収容されている。これら封止対応部１１、パッキン２及びＯリング３によって、封止部が構成されている。パッキン２及びＯリング３が取り付けられた封止対応部１１は、下流側接続口部１０２の雌ねじ１０２ａの開口を出入り口として、下流側流路１０２ｂ及び中間流路１０４を介して挿抜可能である。
【００２７】
封止対応部１１は、パッキン２が上流側流路１０１ｂと中間流路１０４との間の段差１０５に対して当接することにより、挿入位置が規定されている。パッキン２は、段差１０５に対して円環状領域で当接することにより、上流側流路１０１ｂと中間流路１０４との間を封止する。Ｏリング３は、中間流路１０４の内周面に対して円環状領域で当接することにより、上流側流路１０１ｂと下流側流路１０２ｂ及び分岐側流路１０３ｂとの間を封止する。つまり、シール部材であるパッキン２及びＯリング３は、上流側接続口部１０１から下流側接続口部１０２及び分岐側接続口部１０３への水の移動を阻止する。
【００２８】
本実施形態においては、次のような作用効果を奏する。
（１）封止プラグ１は、分岐継手１００の上流側接続口部１０１を封止するための封止部（封止対応部１１、パッキン２及びＯリング３）を、分岐継手１００の下流側接続口部１０２から挿抜可能となっている。また、封止プラグ１の連結部１０は、分岐継手１００の下流側接続口部１０２に対して着脱可能となっている。つまり、分岐継手１００に対する封止部（封止対応部１１、パッキン２及びＯリング３）の挿抜及び連結部１０の着脱は、上流側接続口部１０１及び分岐側接続口部１０３ではなく下流側接続口部１０２を介して行われる。
【００２９】
したがって、封止プラグ１を分岐継手１００に対して着脱するにあたり、上流側接続口部１０１の給水栓用ねじ２００に対する接続機能及び分岐側接続口部１０３のパイプＰに対する接続機能は阻害されない。よって、分岐継手１００の上流側接続口部を給水栓用ねじ２００に対して接続した状態で、封止プラグ１によって上流側接続口部１０１から下流側接続口部１０２及び分岐側接続口部１０３への水の移動を阻止すれば、上流側接続口部１０１よりも上流側の既設の給水配管を断水しない状態で、分岐側接続口部１０３に対するパイプＰの接続作業を行うことができる。つまり、分岐側の配管の施工中において、上流側接続口部１０１に接続された上流側の既設の給水配管を断水する時間を短くできる。
【００３０】
（２）連結部１０と封止対応部１１とは、軸部１２を介して連結されている。したがって、連結部１０と封止対応部１１とを、離間して配置することが可能となる。また、軸部１２の外径は、連結部１０及び封止対応部１１の外径よりも小さい。したがって、封止対応部１１を分岐継手１００に対して挿抜する際、軸部１２が分岐継手１００に対して干渉し難くなるため、当該挿抜作業が容易となる。
【００３１】
＜変形例＞
なお、本発明は、例えば次の態様でも実施可能である。
・図２に示すように、封止プラグ１を、分岐側接続口部１０３が複数（図２の態様では２つ）設けられた分岐継手１１０に用いること。
【００３２】
・図３に示すように、封止プラグ１のパッキン２をＯリング２１に変更するとともに、Ｏリング３,２１がそれぞれ上流側流路１０１ｂの内周面に対して円環状領域で当接することにより、上流側流路１０１ｂと中間流路１０４との間が封止されるように構成すること。このようにすれば、例えば段差１０５を有しない分岐継手に対しても、好適に取り付けることができる。
【００３３】
・エア配管を増設するための分岐継手の施工に用いられる封止プラグに具体化すること。
【符号の説明】
【００３４】
１…封止プラグ、２…封止部を構成するパッキン、３…封止部を構成するＯリング、１０…連結部、１１…封止部を構成する封止対応部、１００…分岐継手、１０１…上流側接続口部、１０２…下流側接続口部、１０３…分岐側接続口部、２００…給水栓用ねじ（上流側の配管）、２０１…給水栓（下流側の配管）、Ｐ…パイプ（分岐側の配管）。
【図１】
2019138309.tif 000003
【図２】
2019138309.tif 000004
【図３】
2019138309.tif 000005
【図４】
2019138309.tif 000006